【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
店員の操作に基づいて顧客の購入対象の商品を登録する登録装置と、前記商品の登録データに基づいて顧客が自ら操作して決済処理を行う複数の精算装置とを有するＰＯＳシステムにおいて、
前記登録装置は、
前記複数の精算装置のうち使用中である精算装置の選択を禁止し、前記登録データの送信先として選択された一つの空き状態の精算装置で前記顧客の決済処理が行えるように前記登録された商品の登録データを送信する送信手段、
を備えることを特徴とするＰＯＳシステム。
【請求項２】
店員の操作に基づいて顧客の購入対象の商品を登録する登録装置と、前記商品の登録データに基づいて顧客が自ら操作して決済処理を行う複数の精算装置と、前記登録装置および前記精算装置と通信回線を介して接続された管理装置とを有するＰＯＳシステムにおいて、
前記管理装置は、
前記登録装置で登録された登録データを受信する受信手段と、
前記複数の精算装置のうち使用中である精算装置の選択を禁止し、前記登録データの送信先として選択された一つの空き状態の精算装置で前記顧客の決済処理が行えるように前記登録された商品の登録データを送信する送信手段と、を備え、
前記精算装置は、
前記送信手段により送信された商品の登録データを受信する受信手段、
を備えることを特徴とするＰＯＳシステム。
【請求項３】
前記登録装置は、
前記送信先として選択された精算装置を案内する表示手段、
を備えることを特徴とする請求項１または請求項２に記載のＰＯＳシステム。
【請求項４】
前記登録装置は、
前記精算装置に接続された釣銭釣札機内に収納されている何れかの貨幣種によってニアフルまたはニアエンドの状態が生じていることを表示部に表示する、
ことを特徴とする請求項１から請求項３のいずれか一項に記載のＰＯＳシステム。
【請求項５】
前記登録装置は、
前記精算装置が受信した登録データを保留扱いにして当該登録装置に呼び戻す呼戻し手段、
を備えることを特徴とする請求項１から請求項４のいずれか一項に記載のＰＯＳシステム。
【請求項６】
前記登録装置は、
前記精算装置が使用中でない場合、前記精算装置が空き状態である旨を表示する表示手段、
を備えることを特徴とする請求項１から請求項５のいずれか一項に記載のＰＯＳシステム。
【請求項７】
前記登録装置は、
前記登録データに基づく決済処理を保留、または未精算の登録データを保留にする保留手段、を備え、
前記精算装置は、
当該精算装置における決済処理または未精算の登録データが保留にされると、登録データを送信した登録装置に戻す送信手段、
を備えることを特徴とする請求項１から請求項６のいずれか一項に記載のＰＯＳシステム。
【請求項８】
前記精算装置は、
前記送信手段により送信された前記登録データを受信する受信手段と、
前記登録データに基づく決済処理で用いられる少なくとも支払い金額情報を表示する表示手段と、
を備えることを特徴とする請求項１から請求項７のいずれか一項に記載のＰＯＳシステム。
【請求項９】
店員の操作に基づいて顧客の購入対象の商品を登録する登録装置と、前記商品の登録データに基づいて顧客が自ら操作して決済処理を行う複数の精算装置とを有するＰＯＳシステムにおける前記登録装置であって、
前記複数の精算装置のうち使用中である精算装置の選択を禁止し、前記登録データの送信先として選択された一つの空き状態の精算装置で前記顧客の決済処理が行えるように前記登録された商品の登録データを送信する送信手段、
を備えることを特徴とする登録装置。
【請求項１０】
店員の操作に基づいて顧客の購入対象の商品を登録する登録装置として第１コンピュータを機能させ、前記商品の登録データに基づいて顧客が自ら操作して決済処理を行う複数の精算装置として第２コンピュータを機能させる、ＰＯＳシステムのプログラムであって、
前記第１コンピュータを、
前記複数の精算装置のうち使用中である精算装置の選択を禁止し、前記登録データの送信先として選択された一つの空き状態の精算装置で前記顧客の決済処理が行えるように前記登録された商品の登録データを送信する送信手段、
として機能させるためのプログラム。
【請求項１１】
店員の操作に基づいて顧客の購入対象の商品を登録する登録装置として第１コンピュータを機能させ、前記商品の登録データに基づいて顧客が自ら操作して決済処理を行う複数の精算装置として第２コンピュータを機能させ、前記登録装置および前記精算装置と通信回線を介して接続された管理装置として第３コンピュータを機能させる、ＰＯＳシステムのプログラムであって、
前記第３コンピュータを、
前記登録装置で登録された登録データを受信する受信手段と、
前記複数の精算装置のうち使用中である精算装置の選択を禁止し、前記登録データの送信先として選択された一つの空き状態の精算装置で前記顧客の決済処理が行えるように前記登録された商品の登録データを送信する送信手段、として機能させ、
前記第２コンピュータを、
前記送信手段により送信された商品の登録データを受信する受信手段、
として機能させるためのプログラム。
【請求項１２】
店員の操作に基づいて顧客の購入対象の商品を登録する登録装置と、前記商品の登録データに基づいて顧客が自ら操作して決済処理を行う複数の精算装置とを有するＰＯＳシステムにおける前記登録装置としてのコンピュータを、
前記複数の精算装置のうち使用中である精算装置の選択を禁止し、前記登録データの送信先として選択された一つの空き状態の精算装置で前記顧客の決済処理が行えるように前記登録された商品の登録データを送信する送信手段、
として機能させるためのプログラム。
【請求項１３】
店員の操作に基づいて顧客の購入対象の商品を登録する登録装置と、前記商品の登録データに基づいて顧客が自ら操作して決済処理を行う複数の精算装置とを有するＰＯＳシステムにおける登録データの送信方法であって、
前記登録装置において、前記複数の精算装置のうち使用中である精算装置の選択を禁止し、前記登録データの送信先として選択された一つの空き状態の精算装置で前記顧客の決済処理が行えるように前記登録された商品の登録データを送信する送信ステップ、
を有することを特徴とする登録データの送信方法。
【手続補正２】
【補正対象書類名】明細書
【補正対象項目名】発明の名称
【補正方法】変更
【補正の内容】
【発明の名称】ＰＯＳシステム、登録装置、プログラム、及び登録データの送信方法
【手続補正３】
【補正対象書類名】明細書
【補正対象項目名】０００１
【補正方法】変更
【補正の内容】
【０００１】
本発明は、顧客が精算時の操作を行う際に用いて好適なＰＯＳ（Ｐｏｉｎｔ  Ｏｆ  Ｓａｌｅｓ）システム、登録装置、プログラム、及び登録データの送信方法に関する。
【手続補正４】
【補正対象書類名】明細書
【補正対象項目名】０００５
【補正方法】変更
【補正の内容】
【０００５】
特許文献１に記載されているＰＯＳシステムでは、２次元コードまたは１次元コード等を精算装置のリーダに読み取らせる等、登録装置で登録されたデータを用いて精算装置において精算処理を行えるようにするために、顧客が、所定の操作をする必要があり、顧客はどの精算装置で操作を行うか手間取ってしまうことがあるという課題があった。また、顧客が向かった精算装置が使用中である場合もあった。そのため精算に時間がかかってしまうという課題があった。
【手続補正５】
【補正対象書類名】明細書
【補正対象項目名】０００６
【補正方法】変更
【補正の内容】
【０００６】
そこで本発明は、上記事情に鑑みてなされたものであり、顧客の精算時間を短縮できるＰＯＳシステム、登録装置、プログラム、及び登録データの送信方法を提供することを目的とする。
【手続補正６】
【補正対象書類名】明細書
【補正対象項目名】０００７
【補正方法】変更
【補正の内容】
【０００７】
本発明の一態様は、店員の操作に基づいて顧客の購入対象の商品を登録する登録装置と、前記商品の登録データに基づいて顧客が自ら操作して決済処理を行う複数の精算装置とを有するＰＯＳシステムにおいて、前記登録装置は、前記複数の精算装置のうち使用中である精算装置の選択を禁止し、前記登録データの送信先として選択された一つの空き状態の精算装置で前記顧客の決済処理が行えるように前記登録された商品の登録データを送信する送信手段、を備えることを特徴とするＰＯＳシステムである。
【手続補正７】
【補正対象書類名】明細書
【補正対象項目名】０００８
【補正方法】変更
【補正の内容】
【０００８】
上記態様によれば、顧客が決済処理が行えるように登録装置において選択された精算装置へ登録データが送信されるので、顧客が精算装置を操作しようとしたときには、その精算装置に既に必要な登録データが届いていることになる。また、登録装置が登録データの送信先となる精算装置を選択する際、使用中の精算装置を選択しないようにすることができる。よって、精算処理における顧客の操作を軽減でき、それにより精算時間も短縮できる。
【手続補正８】
【補正対象書類名】明細書
【補正対象項目名】０００９
【補正方法】変更
【補正の内容】
【０００９】
また、本発明の一態様は、店員の操作に基づいて顧客の購入対象の商品を登録する登録装置と、前記商品の登録データに基づいて顧客が自ら操作して決済処理を行う複数の精算装置と、前記登録装置および前記精算装置と通信回線を介して接続された管理装置とを有するＰＯＳシステムにおいて、前記管理装置は、前記登録装置で登録された登録データを受信する受信手段と、前記複数の精算装置のうち使用中である精算装置の選択を禁止し、前記登録データの送信先として選択された一つの空き状態の精算装置で前記顧客の決済処理が行えるように前記登録された商品の登録データを送信する送信手段と、を備え、前記精算装置は、前記送信手段により送信された商品の登録データを受信する受信手段、を備えることを特徴とするＰＯＳシステムである。
【手続補正９】
【補正対象書類名】明細書
【補正対象項目名】００１０
【補正方法】変更
【補正の内容】
【００１０】
上記態様によれば、顧客が決済処理が行えるように精算装置へ登録データが送信されるので、顧客が精算装置を操作しようとしたときには、その精算装置に既に必要な登録データが届いていることになる。また、管理装置が登録データを精算装置へ送信する際、使用中の精算装置を選択しないようにすることができる。よって、精算処理における顧客の操作を軽減でき、それにより精算時間も短縮できる。
【手続補正１０】
【補正対象書類名】明細書
【補正対象項目名】００１１
【補正方法】変更
【補正の内容】
【００１１】
また、本発明の一態様は、上記ＰＯＳシステムにおいて、前記登録装置は、前記送信先として選択された精算装置を案内する表示手段、を備えることを特徴とする。
【手続補正１１】
【補正対象書類名】明細書
【補正対象項目名】００１２
【補正方法】変更
【補正の内容】
【００１２】
上記態様によれば、登録装置は、どの精算装置へ登録データを送信したかを店員又は顧客に分かるように表示することができる。
【手続補正１２】
【補正対象書類名】明細書
【補正対象項目名】００１３
【補正方法】変更
【補正の内容】
【００１３】
また、本発明の一態様は、上記ＰＯＳシステムにおいて、前記登録装置は、前記精算装置に接続された釣銭釣札機内に収納されている何れかの貨幣種によってニアフルまたはニアエンドの状態が生じていることを表示部に表示する、ことを特徴とする。
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００２５
【補正方法】変更
【補正の内容】
【００２５】
また、本発明の一態様は、店員の操作に基づいて顧客の購入対象の商品を登録する登録装置と、前記商品の登録データに基づいて顧客が自ら操作して決済処理を行う複数の精算装置とを有するＰＯＳシステムにおける前記登録装置であって、前記複数の精算装置のうち使用中である精算装置の選択を禁止し、前記登録データの送信先として選択された一つの空き状態の精算装置で前記顧客の決済処理が行えるように前記登録された商品の登録データを送信する送信手段、を備えることを特徴とする登録装置である。
上記態様によれば、顧客が決済処理が行えるように登録装置において選択された精算装置へ登録データが送信されるので、顧客が精算装置を操作しようとしたときには、その精算装置に既に必要な登録データが届いていることになる。また、登録装置が登録データの送信先となる精算装置を選択する際、使用中の精算装置を選択しないようにすることができる。よって、精算処理における顧客の操作を軽減でき、それにより精算時間も短縮できる。
また、本発明の一態様は、店員の操作に基づいて顧客の購入対象の商品を登録する登録装置として第１コンピュータを機能させ、前記商品の登録データに基づいて顧客が自ら操作して決済処理を行う複数の精算装置として第２コンピュータを機能させる、ＰＯＳシステムのプログラムであって、前記第１コンピュータを、前記複数の精算装置のうち使用中である精算装置の選択を禁止し、前記登録データの送信先として選択された一つの空き状態の精算装置で前記顧客の決済処理が行えるように前記登録された商品の登録データを送信する送信手段、として機能させるためのプログラムである。
【手続補正１６】
【補正対象書類名】明細書
【補正対象項目名】００２６
【補正方法】変更
【補正の内容】
【００２６】
上記態様によれば、顧客が決済処理が行えるように登録装置において選択された精算装置へ登録データが送信されるので、顧客が精算装置を操作しようとしたときには、その精算装置に既に必要な登録データが届いていることになる。また、登録装置が登録データの送信先となる精算装置を選択する際、使用中の精算装置を選択しないようにすることができる。よって、精算処理における顧客の操作を軽減でき、それにより精算時間も短縮できる。
【手続補正１７】
【補正対象書類名】明細書
【補正対象項目名】００２７
【補正方法】変更
【補正の内容】
【００２７】
また、本発明の一態様は、店員の操作に基づいて顧客の購入対象の商品を登録する登録装置として第１コンピュータを機能させ、前記商品の登録データに基づいて顧客が自ら操作して決済処理を行う複数の精算装置として第２コンピュータを機能させ、前記登録装置および前記精算装置と通信回線を介して接続された管理装置として第３コンピュータを機能させる、ＰＯＳシステムのプログラムであって、前記第３コンピュータを、前記登録装置で登録された登録データを受信する受信手段と、前記複数の精算装置のうち使用中である精算装置の選択を禁止し、前記登録データの送信先として選択された一つの空き状態の精算装置で前記顧客の決済処理が行えるように前記登録された商品の登録データを送信する送信手段、として機能させ、前記第２コンピュータを、前記送信手段により送信された商品の登録データを受信する受信手段、として機能させるためのプログラムである。
【手続補正１８】
【補正対象書類名】明細書
【補正対象項目名】００２８
【補正方法】変更
【補正の内容】
【００２８】
上記態様によれば、顧客が決済処理が行えるように精算装置へ登録データが送信されるので、顧客が精算装置を操作しようとしたときには、その精算装置に既に必要な登録データが届いていることになる。また、管理装置が登録データを精算装置へ送信する際、使用中の精算装置を選択しないようにすることができる。よって、精算処理における顧客の操作を軽減でき、それにより精算時間も短縮できる。
【手続補正１９】
【補正対象書類名】明細書
【補正対象項目名】００２９
【補正方法】変更
【補正の内容】
【００２９】
また、本発明の一態様は、店員の操作に基づいて顧客の購入対象の商品を登録する登録装置と、前記商品の登録データに基づいて顧客が自ら操作して決済処理を行う複数の精算装置とを有するＰＯＳシステムにおける前記登録装置としてのコンピュータを、前記複数の精算装置のうち使用中である精算装置の選択を禁止し、前記登録データの送信先として選択された一つの空き状態の精算装置で前記顧客の決済処理が行えるように前記登録された商品の登録データを送信する送信手段、として機能させるためのプログラムである。
上記態様によれば、顧客が決済処理が行えるように登録装置において選択された精算装置へ登録データが送信されるので、顧客が精算装置を操作しようとしたときには、その精算装置に既に必要な登録データが届いていることになる。また、登録装置が登録データの送信先となる精算装置を選択する際、使用中の精算装置を選択しないようにすることができる。よって、精算処理における顧客の操作を軽減でき、それにより精算時間も短縮できる。
また、本発明の一態様は、店員の操作に基づいて顧客の購入対象の商品を登録する登録装置と、前記商品の登録データに基づいて顧客が自ら操作して決済処理を行う複数の精算装置とを有するＰＯＳシステムにおける登録データの送信方法であって、前記登録装置において、前記複数の精算装置のうち使用中である精算装置の選択を禁止し、前記登録データの送信先として選択された一つの空き状態の精算装置で前記顧客の決済処理が行えるように前記登録された商品の登録データを送信する送信ステップ、を有することを特徴とする登録データの送信方法である。
【手続補正２０】
【補正対象書類名】明細書
【補正対象項目名】００３０
【補正方法】変更
【補正の内容】
【００３０】
上記態様によれば、顧客が決済処理が行えるように登録装置において選択された精算装置へ登録データが送信されるので、顧客が精算装置を操作しようとしたときには、その精算装置に既に必要な登録データが届いていることになる。また、登録装置が登録データの送信先となる精算装置を選択する際、使用中の精算装置を選択しないようにすることができる。よって、精算処理における顧客の操作を軽減でき、それにより精算時間も短縮できる。